(57)【要約】【課題】  ネジによりフィルムを固定するときに、効率よくフィルムの張りを生じさせるフィルム固定部材等を提供する。【解決手段】  フィルム固定部材は、基体と押さえ部材を備える。基体１は、ネジ固定部１１と、ネジ固定部１１の両側に凹設された２つの溝部１５を備える。押さえ部材３は、各溝部１５に対応して突設された２つの突部１７を備える。基体１のネジ固定部１１は、基体１と押さえ部材３の間にフィルムがあり、２つの突部１７が対応する２つの溝部１５に挿入された状態で、押さえ部材３の上部からねじ込められたネジを固定する。【選択図】  図５
2019092408.tif 000002
【特許請求の範囲】
【請求項１】
基体と押さえ部材を備えるフィルム固定部材であって、
前記基体は、ネジ固定部と、前記ネジ固定部の両側に凹設された２つの溝部を備え、
前記押さえ部材は、前記各溝部に対応して突設された２つの突部を備え、
前記ネジ固定部は、前記基体と前記押さえ部材の間にフィルムがあり、前記２つの突部が対応する前記２つの溝部に挿入された状態で、前記押さえ部材の上部からねじ込められたネジを固定する、フィルム固定部材。
【請求項２】
前記溝部及び前記突部は、それぞれ、前記基体及び前記押さえ部材の長手方向に連続して存在し、
前記突部は、前記押さえ部材の長手方向において、少なくとも一方の端の高さが、中央の高さよりも低い、請求項１記載のフィルム固定部材。
【請求項３】
前記ネジ固定部は、前記基体の長手方向に連続して存在し、前記押さえ部材の上部からねじ込められたネジを挟持してネジを固定するものであり、
前記２つの溝部は、前記ネジ固定部の両側に、前記ネジ固定部に並行に設けられ、上部が前記フィルムを介して前記押さえ部材に接する、請求項１又は２に記載のフィルム固定部材。
【請求項４】
前記基体は、前記ネジ固定部及び前記溝部が形成された面とは反対の面に、外面の形状が同じ２つのフレームを備える、請求項１から３のいずれかに記載のフィルム固定部材。
【請求項５】
フィルム固定部材を用いたフィルム固定方法であって、
前記フィルム固定部材は、基体と押さえ部材を備え、
前記基体は、ネジ固定部と、前記ネジ固定部の両側に凹設された２つの溝部を備え、
前記押さえ部材は、前記溝部のそれぞれに対応して突設された２つの突部を備え、
前記基体と前記押さえ部材の間にフィルムがあり、前記２つの突部が対応する前記２つの溝部に挿入された状態で、前記ネジ固定部により前記押さえ部材の上部からねじ込められたネジを固定する、フィルム固定方法。
【発明の詳細な説明】
【技術分野】
【０００１】
本願発明は、フィルム固定部材及びフィルム固定方法に関し、特に、基体と押さえ部材を備えるフィルム固定部材等に関する。
【背景技術】
【０００２】
特許文献１には、２列の垂直部がネジを挟持してフィルムを固定することが記載されている。
【０００３】
なお、特許文献２には、複数のフレームの外面に、同じ付属部材を付けることが可能なシート定着装置が記載されている。
【先行技術文献】
【特許文献】
【０００４】
【特許文献１】特開２０１６−２１９０４号公報
【特許文献２】特開２０１７−１７５９７２号公報
【発明の概要】
【発明が解決しようとする課題】
【０００５】
特許文献１に記載の技術では、押さえ部材の２つの脚部がフィルムに押下することにより、フィルムの張りを強めている。しかしながら、実質的には、２つの脚部による高さ分のみの張りの調整ができるに留まる。
【０００６】
特許文献２記載のシート定着部材は、ばねによりシートを固定するものであり、ネジによる固定を想定したものではない。ばねによっては、固定する位置が変化するため、シートの張りを十分に調整することは難しい。
【０００７】
そこで、本願発明は、ネジによりフィルムを固定するときに、効率よくフィルムの張りを生じさせるフィルム固定部材等を提供することを目的とする。
【課題を解決するための手段】
【０００８】
本願発明の第１の観点は、基体と押さえ部材を備えるフィルム固定部材であって、前記基体は、ネジ固定部と、前記ネジ固定部の両側に凹設された２つの溝部を備え、前記押さえ部材は、前記各溝部に対応して突設された２つの突部を備え、前記ネジ固定部は、前記基体と前記押さえ部材の間にフィルムがあり、前記２つの突部が対応する前記２つの溝部に挿入された状態で、前記押さえ部材の上部からねじ込められたネジを固定する。
【０００９】
本願発明の第２の観点は、第１の観点のフィルム固定部材であって、前記溝部及び前記突部は、それぞれ、前記基体及び前記押さえ部材の長手方向に連続して存在し、前記突部は、前記押さえ部材の長手方向において、少なくとも一方の端の高さが、中央の高さよりも低い。
【００１０】
本願発明の第３の観点は、第１又は第２の観点のフィルム固定部材であって、前記ネジ固定部は、前記基体の長手方向に連続して存在し、前記押さえ部材の上部からねじ込められたネジを挟持してネジを固定するものであり、前記２つの溝部は、前記ネジ固定部の両側に、前記ネジ固定部に並行に設けられ、上部が前記フィルムを介して前記押さえ部材に接する。
【００１１】
本願発明の第４の観点は、第１から第３のいずれかの観点のフィルム固定部材であって、前記基体は、前記ネジ固定部及び前記溝部が形成された面とは反対の面に、外面の形状が同じ２つのフレームを備える。
【００１２】
本願発明の第５の観点は、フィルム固定部材を用いたフィルム固定方法であって、前記フィルム固定部材は、基体と押さえ部材を備え、前記基体は、ネジ固定部と、前記ネジ固定部の両側に凹設された２つの溝部を備え、前記押さえ部材は、前記溝部のそれぞれに対応して突設された２つの突部を備え、前記基体と前記押さえ部材の間にフィルムがあり、前記２つの突部が対応する前記２つの溝部に挿入された状態で、前記ネジ固定部により前記押さえ部材の上部からねじ込められたネジを固定する。
【発明の効果】
【００１３】
本願発明の各観点によれば、基体にネジ固定部を設けて、押さえ部材をネジ止めする。さらに、押さえ部材の２つの突部が、基体においてネジ固定部の両側に凹設された２つの溝部に挿入されてフィルムを固定する。そのため、ネジは短く、基体の底部を超えて突き抜けるおそれがなく、さらに、２つの突部の両側でフィルムの張りの調整ができる。そのため、例えば図３に示すように突部の高さのおおよそ４倍の長さのフィルムを織り込むことで張りを強化できる。
【００１４】
すなわち、例えば、基体の中央に凹部を設け、押さえ部材に２つの突部を設けて凹部に挿入し、押さえ部材と基体の底部をネジ止めしてフィルムを固定するならば、長いネジが必要となり、さらに、ネジが基体の底部を超えて突き抜ける危険が生じる。さらに、２つの突部の高さの２倍での張りの調整ができるにすぎない。
【００１５】
それに対し、本願発明の各観点によれば、ネジ固定部を利用するために、ネジは短くてすみ、さらに、基体の底部を突き抜けて作業者を傷つけたり他のフィルムを傷つけたりするおそれがない。さらに、基体の２つの溝部と押さえ部材の２つの突部でフィルムの張りの調整ができ、例えば突部の高さの４倍の長さで張りを強化できる。
【００１６】
さらに、本願発明の第２の観点によれば、押さえ部材における突部の高さを、長手方向の端の方で低くすることにより、低い側で押さえ部材を固定して全体を固定することができ、容易に設置をすることができる。さらに、端で突部の高さが低いため、固定後にフィルムを傷つけにくい。
【図面の簡単な説明】
【００１７】
【図１】本願発明の実施の形態に係るフィルム固定部材の基体１の一例を示す図である。
【図２】本願発明の実施の形態に係るフィルム固定部材の押さえ部材３の一例を示す図である。
【図３】図１の基体１に図２の押さえ部材３を取り付けて硬質フィルム２３を固定した状態を示す図である。
【図４】出願人が作成した試作品を示す図である。
【図５】図４の試作品を取り付ける作業の一例を説明するための図である。
【発明を実施するための形態】
【００１８】
以下、本願発明の実施の形態について説明する。なお、本願発明は、下記の実施例に限定されるものではない。
【実施例】
【００１９】
図１及び図２は、それぞれ、本願発明の実施の形態に係るフィルム固定部材の基体１及び押さえ部材３の一例を示す図である。図１及び図２のフィルム固定部材は、農業用ハウスの屋根や側面や妻面などにおいて、十分な強度で安定してフィルムの張りを強めて固定することができる。
【００２０】
特に、曲面に沿ってではなく、横に使用して張りを調整することができ、直線的で施工性を高め、さらに、硬質フィルム（フッ素フィルムを含む。）の原反を使用することができる。さらに、フレームを使用して、フィルムの水滴を回収することができる。例えば、上のフレームで、上のフィルムの露を回収したり、下のフレームで穴の水漏れを回収したりすることができる。さらに、フレームを利用してハウスに固定することができ、ハウスのパイプなどを使用しないため、強度低下を防ぎつつ、作業性を高めることができる。
【００２１】
図１は、（ａ）基体１を長手方向からみた図と、（ｂ）斜視図である。図１を参照して、基体１は、固定部５と、第１フレーム７と、第２フレーム９を備える。固定部５は、底部１０と、ネジ固定部１１1及び１１2と、壁部１３1及び１３2を備える。底部１０の上面には、ネジ固定部１１1及び１１2並びに壁部１３1及び１３2が突設される。底部１０の下面には、第１フレーム７及び第２フレーム９が設けられている。
【００２２】
ネジ固定部１１1及び１１2は、底部１０の上面に突設される。上端は、フィルムを傷つけないように丸い形状にしている。ネジ固定部１１1及び１１2の内壁には、それぞれ、押さえ部材３を止めるためのネジを止めるためのネジ止め部１２1及び１２2が形成されている。ネジの切込みは、少なくともネジ止め部１２1又は１２2の内側の下端によって固定される。
【００２３】
壁部１３1及び１３2は、底部１０の上面に、それぞれ、ネジ固定部１１1及び１１2の外側に突設される。上端は、フィルムを傷つけないように丸い形状にしている。溝部１５1は、壁部１３1とネジ固定部１１1の間に凹設されている。溝部１５2は、壁部１３2とネジ固定部１１2の間に凹設されている。
【００２４】
なお、第１フレーム７及び第２フレーム９は、２つを利用してねじれを防止して固定することができるとともに、一方が上のフィルムの水滴を回収して他方がネジ等による水滴を回収することができる。ただし、一方のみが存在してもよい。
【００２５】
図２は、（ａ）押さえ部材３を長手方向からみた図と、（ｂ）側面図と、底面図である。図２を参照して、押さえ部材３は、押さえ部１９と、突部１７1及び１７2を備える。押さえ部１９の上面には、作業者が上に乗ってもすべらないように、両端に滑り止めが形成されている。押さえ部１９の下面には、突部１７1及び１７2が突設されている。また、長手方向に、複数のネジ穴２１が形成されている。
【００２６】
突部１７1及び１７2は、基体１と押さえ部材３によりフィルムを固定するときに、それぞれ、基体１の溝部１５1及び１５2に挿入できる。
【００２７】
ネジ固定部１１1及び１１2は、ネジ穴２１に挿入されたネジ（タッピングネジ）を挟持され、ネジ止め部１２によりネジの切込みを固定する。ネジ固定部１１1及び１１2の上部は、フィルムを介して押さえ部材３の押さえ部１９に接するため、ネジは短くてよい。ネジは、基体１の底部１０に至る前に固定されるため、ネジをねじ込むことは容易であり、ネジが底部１０を突き抜けることを防止することができ、作業者やフィルムを傷つけることを防止することができる。
【００２８】
図３は、図１の基体１に図２の押さえ部材３を取り付けて硬質フィルム２３を固定した状態を示す図である。図３に示すように、フィルム２３は、壁部１３1の上端、突部１７1の下端、ネジ固定部１１1の上端、ネジ固定部１１2の上端、突部１７2の下端、壁部１３2の上端、を経由する。そのため、基体１及び押さえ部材３により、およそ突部の高さの４倍の長さのフィルムを織り込むことで張りを強化できる。さらに、フィルム２３により壁部１３に対して外側に開く力が働き、底部１０によりネジ固定部１１に対して外側に開く力となる。そのため、ネジ固定部１１によるネジの固定を容易にすることができる。
【００２９】
図４は、出願人が作成した試作品を示す図である。基体１は、図１のものと同様である。押さえ部材３は、突部の一方が低く、他方は、中央と同じ高さとする。すなわち、押さえ部材３には、ネジ穴が３つ設けられ、突部が低い方から高い方にかけて、ネジ穴２１1、２１2、及び、２１3を有する。
【００３０】
図４（ａ）は、基体１と押さえ部材３で、突設された面を上面にした場合である。図４（ｂ）は、（ａ）とは反対の面を上面にした場合である。図４（ｃ）は、基体１と押さえ部材３により、フィルムを固定する場合である。
【００３１】
図５は、図４の試作品を取り付ける作業の一例を説明するための図である。（ａ）にあるように、突部が低い側では、ネジ固定部１１の上にフィルムがある状態でも、傾斜を利用してネジ穴２１1とネジ固定部１１との距離を短くでき、ネジ穴２１1を利用したネジ止めを容易に行うことができる。その後、（ｂ）にあるように、止めた側とは反対側に力をかけ、押さえ部材３の突部を基体１の溝部に入れてフィルムの張りを強め、ネジ穴２１1のネジを締めつつ、ネジ穴２１2及び２１3をネジ止めする。
【００３２】
図５（ｃ）及び（ｄ）は、基体に押さえ部材を固定した場合について、それぞれ、突部が低い側からと高い側からとの状態を示す。
【００３３】
図５（ｃ）を参照して、フィルムを固定した場合、押さえ部材の突部が低いため、端によりフィルムを破損する危険性が少ない。他方、図５（ｄ）を参照して、固定するフィルムは、壁部１３2の先端から下に下がり、突部１７2の先端を経由してネジ固定部１１2の上端に至る。そのため、ネジ固定部１１2に至るまでに、突部１７2の高さの２倍でフィルムを調整できる。さらに、固定するフィルムは、ネジ固定部１１1の上端から下に下がり、突部１７1の下端を経由して上に上がり、壁部１３1に至る。よって、フィルムは、押さえ部材の突起の高さの４倍で、張りを強くすることができる。
【００３４】
特に、エアーハウスにおいて利用することが考えられる。従来、空気２層フィルムの間に空気を入れると、上側のフィルムは外に膨らみ、下側のフィルムは内側に膨らむ。ここで、下側のフィルムが広がる際、途中の直管パイプによって膨らみが阻害され、直管パイプ間に最も低い箇所が生じ、水滴が直管パイプの間に溜まることが生じていた。本願発明のフィルム固定部材を使用して、途中の直管パイプの直近に取り付け、内側のフィルムの張りを強くするとともに、内側のフィルムの水滴を直管パイプ付近にまで流れ落ちさせて回収することができる。
【符号の説明】
【００３５】
１  基体、３  押さえ部材、５  固定部、７  第１フレーム、９  第２フレーム、１０  底部、１１  ネジ固定部、１２  ネジ止め部、１３  壁部、１５  溝部、１７  突部、１９  押さえ部、２１  ネジ穴、２３  フィルム
【図１】
2019092408.tif 000003
【図２】
2019092408.tif 000004
【図３】
2019092408.tif 000005
【図４】
2019092408.tif 000006
【図５】
2019092408.tif 000007